(57)【特許請求の範囲】
【請求項１】
冊子状媒体を搬送するための搬送ローラと、
前記冊子状媒体のめくり対象頁に接し、送り方向線が開頁状態の前記冊子状媒体の対角線方向を向き、前記冊子状媒体の搬送方向に直交する辺の中心線振り分けで左右対称に配置される頁めくりローラと、
前記めくり対象頁の搬送方向中央付近を搬送方向と直交する方向で上方に湾曲させるためのプレッシャと、
前記めくり対象頁に接する搬送ローラを前記めくり対象頁より退避させ、前記プレッシャを、前記めくり対象頁を前記頁めくりローラに押し付け、かつ、前記めくり対象頁の搬送方向中央付近を搬送方向と直交する方向で上方に湾曲するように移動させ、前記頁めくりローラを前記めくり対象頁が跳ね上がる方向に回転させ、前記搬送ローラが前記冊子状媒体を前記めくり対象頁がめくれる方向に搬送するよう制御する制御部と、
を有することを特徴とする冊子状媒体の頁めくり装置。
【発明の詳細な説明】
【０００１】
【発明の属する技術分野】
本発明は冊子状媒体の頁めくり装置に関するものである。
【０００２】
【従来の技術】
図４に預金通帳等の冊子状媒体の頁めくり装置の従来例を示す。この従来例において、頁めくり装置は冊子状媒体１を開頁状態で拘束する複数の搬送ローラ対３、３・・を有する。搬送ローラ対３には、通帳のめくり対象頁１ａ部分に対応する２組の頁めくりローラ対６、６が含まれ、頁めくりローラ対６はめくり対象頁１ａ部分の表紙１ａ’を拘束する下部固定ローラ６ａと、めくり対象頁１ａの表面を拘束する頁めくりローラ２からなる。
【０００３】
冊子状媒体１が四隅部を搬送ローラ対３により所定位置に搬送されると、プレッシャ７により冊子状媒体１が上方に向けて湾曲されるとともに、下部固定ローラ６ａが鎖線位置から実線位置まで下方に退避し、この後、頁めくりローラ２が図４において矢印Ａ方向に駆動される。頁めくりローラ２の駆動により、めくり対象頁１ａの隅は綴り部１ｂに対して直角方向にずれ、やがて図４（ａ）において鎖線で示すように、紙葉の開放端が頁めくりローラ２上に跳ね上がる。この後、通帳を図４（ｂ）において矢印Ｂ方向に搬送すると、頁めくりローラ２上に跳ね上げられためくり対象頁１ａは頁めくりローラ２に押されて反対頁上に積層され、頁めくり動作が完了する。
【０００４】
【発明が解決しようとする課題】
しかし、上述した従来例において、めくり対象頁１ａの跳ね上げ動作は、頁めくりローラ２とめくり対象頁１ａの表面との摩擦力を利用するものであり、摩擦力が小さければめくり対象頁１ａをその剛性に対向して湾曲させることができない。したがって、跳ね上げ動作中はめくり対象頁１ａに大きな摩擦力を負荷する必要があり、このため、頁めくりローラ２のめくり対象頁１ａへの押圧力を大きくすることが必要になる。
【０００５】
一方、頁めくりローラ２の押圧力を大きくすると、めくり対象頁１ａの裏面とめくり対象頁１ａの次ページ表面との摩擦力も大きくなり、跳ね上げ操作時に次ページも一緒にめくられてしまうという問題がある。
【０００６】
従来例においてこのような問題を解決するためには、頁めくりローラ２とめくり対象頁１ａの押圧力を適正な値に維持することにより解決されているが、冊子状媒体１は剛性、あるいは表面状態が区々であるために、めくり不良を完全に防止することができない。
【０００７】
本発明は、以上の欠点を解消すべくなされたものであって、めくり操作の動作信頼性を高めることのできる冊子状媒体の頁めくり装置を提供することを目的とする。
【０００８】
【課題を解決するための手段】
本発明によれば上記目的は、
冊子状媒体１を搬送するための搬送ローラ３ａ、３ｂと、
前記冊子状媒体１のめくり対象頁１ａに接し、送り方向線４が開頁状態の前記冊子状媒体１の対角線方向を向き、前記冊子状媒体１の搬送方向に直交する辺の中心線５振り分けで左右対称に配置される頁めくりローラ２と、
前記めくり対象頁１ａの搬送方向中央付近を搬送方向と直交する方向で上方に湾曲させるためのプレッシャ７と、
前記めくり対象頁１ａに接する搬送ローラ３ａを前記めくり対象頁１ａより退避させ、前記プレッシャ７を、前記めくり対象頁１ａを前記頁めくりローラ２に押し付け、かつ、前記めくり対象頁１ａの搬送方向中央付近を搬送方向と直交する方向で上方に湾曲するように移動させ、前記頁めくりローラ２を前記めくり対象頁１ａが跳ね上がる方向に回転させ、前記搬送ローラ３ａ、３ｂが前記冊子状媒体１を前記めくり対象頁１ａがめくれる方向に搬送するよう制御する制御部と、
を有することを特徴とする冊子状媒体の頁めくり装置を提供することにより達成される。
【０００９】
搬送路上を所定位置まで開頁状態で搬送されてきた冊子状媒体１の頁めくり動作は跳ね上げ工程によって頁めくりローラ２上にめくり対象頁１ａを跳ね上げた後、搬送工程により冊子状媒体１をめくり対象頁１ａがめくれる方向であるめくり対象頁１ａ側に搬送することにより行われる。跳ね上げ工程においてまず、頁めくりローラ２がめくり対象頁１ａの表面であって、開放端隅部２カ所に圧接しており、この後、該開放端隅部が綴り部１ｂに対して反対頁側にずれるように頁めくりローラ２が駆動させる。各頁めくりローラ２は送り方向線４、すなわち、頁めくりローラ２によるめくり対象頁１ａに与えられるずれ方向の負荷方向線が冊子状媒体１の対角線方向を向くように配置される。この結果、めくり対象頁１ａは両開放端隅部が搬送方向に対して斜め方向にずれながら幅方向中心が浮き上がり、次ページに対して剥離する。
【００１０】
紙葉を屈曲頂部が冊子状媒体１の縦辺に直交する１本の線分となるように変形させる場合に比して、屈曲頂部がＶ字状に交差する２本の線分からなる本発明においては、紙葉に発生する変形抵抗が大きくなるために、次ページがめくり対象頁１ａとともにめくられることがなくなる。
【００１１】
いま、頁めくりローラ２のめくり対象頁１ａへの押圧力をＰ、頁めくりローラ２とめくり対象頁１ａとの摩擦係数をμ、紙葉間の摩擦係数をμ’、紙葉の変形抵抗をＦとすると、めくり対象頁１ａのみをめくるためには、
Ｐμ-Ｆ＞０・・・・・・（１）
かつ、
Ｐμ’-Ｆ＜０・・・・・（２）
すなわち、
Ｆ／μ’＜Ｐ＜Ｆ／μ・・・（３）
の条件を満たす必要がある。式１はめくり対象頁１ａのめくり条件、式２は次ページがめくられない条件を示す。
【００１２】
したがって、Ｐの取り得る値の範囲は、
Ｆ／μ-Ｆ／μ’=Ｆ（μ-μ’）／μμ’で与えられ、
μ、μ’が一定とすると、Ｆが大きくなるほど大きくなる。Ｐは頁めくりローラ２の押圧力を示すために、このＰの取り得る値の範囲が大きくなると、めくり対象頁１ａのみをずらせるために許容される押圧力の許容範囲が大きくなり、この範囲でμ、μ’のばらつきをも考慮した適値を選択することができる。
【００１３】
【発明の実施の形態】
図１、２に示すように、頁めくり装置は、開頁状態の通帳（冊子状媒体１）の四隅部を拘束する搬送ローラ対３、３・・と、めくり対象頁１ａの表面に対応して配置される頁めくりローラ２とを有する。
【００１４】
各搬送ローラ対３は、正対する上下搬送ローラ３ａ、３ｂから構成され、媒体搬送ガイド８より上方にある上搬送ローラ３ａが軸９ａ周りに回転駆動され、下搬送ローラ３ｂは軸９ｂに対して空転自在な従動ローラとして構成される。
【００１５】
頁めくりローラ２は通帳１のめくり対象頁１ａの表面に対応して配置され、後述する跳ね上げ工程時でめくり対象頁１ａの表面に所定押圧力で圧接する。図１に示すように、この頁めくりローラ２は通帳１の幅方向中心線５振り分けで左右対称位置に配置され、頁めくりローラ２の回転中心線２ａは媒体搬送方向線１０に対して鋭角αで交差する。また、頁めくりローラ２の側方にはガイドプレート１１が配置される。
【００１６】
通帳１の綴り部１ｂと頁めくりローラ２の間にはプレッシャ７が配置される。プレッシャ７は所定タイミングで媒体搬送路裏面側から上方に飛び出すように構成される。図示の例において、プレッシャ７は軸７ａ周りに回転駆動可能であり、図２（ａ）における矢印Ｃ方向に駆動させることにより搬送路上に飛び出させることができる。なお、図２（ａ）はプレッシャ７が飛び出した状態を示す。
【００１７】
上記頁めくり装置の動作を説明する。頁めくり動作は、跳ね上げ工程と、送り工程を含み、まず、通帳１が搬送ローラ対３により搬送されて、綴り部１ｂが媒体搬送ガイド８の終端近傍まで達すると、搬送ローラ対３の駆動を停止して通帳１を当該位置で捕捉し、跳ね上げ工程が開始される。跳ね上げ工程は、図２に示すように、プレッシャ７を駆動して通帳１を上方に湾曲することから開始され、プレッシャ７の駆動により、めくり対象頁１ａの表面は所定押圧力で頁めくりローラ２に押し付けられ、この後、めくり対象頁１ａ側の上搬送ローラ３ａを上方に退避させ、さらに頁めくりローラ２を図１、２における矢印Ｄ方向に回転駆動する。
【００１８】
頁めくりローラ２の回転によってめくり対象頁１ａには、図１において矢印で示す送り方向線４に沿う送り力が与えられ、めくり対象頁１ａは図１、３に示すように、屈曲部稜線１２が三角形を形成するように幅方向中心部が上方に屈曲しながら次ページとの剥離が行われる。次ページとの剥離後にさらに頁めくりローラ２を駆動すると、やがてめくり対象頁１ａは図２において鎖線で示すように、ガイドプレート１１の頂部に乗り上げ、跳ね上げ工程が完了する。
【００１９】
跳ね上げ工程に続く移動工程は、上記プレッシャ７と上搬送ローラ３ａを原位置に復帰させることから開始され、この後、搬送ローラ対３を駆動して通帳１を図２における矢印Ｅ方向、すなわち、めくり対象頁１ａが搬送先頭となる方向で、綴り部１ｂに直角方向に通帳１を移動させる。通帳１の移動によりガイドプレート１１上に跳ね上げられためくり対象頁１ａはガイドプレート１１に押されて反対頁側に倒伏し、頁めくり動作が完了する。
【００２０】
なお、以上の説明において、搬送ローラ対３は４組配置されているが、めくり対象頁１ａと反対頁に配置される２組の搬送ローラ対３により通帳１の搬送が可能な場合には、めくり対象頁１ａ側の上搬送ローラ３ａを省略することができる。また、上述した実施の形態においては上搬送ローラ３ａを駆動側ローラとして構成してあるが、下搬送ローラ３ｂを駆動側ローラとして構成し、跳ね上げ工程において従動側を退避させるように構成することもできる。
【００２１】
【発明の効果】
以上の説明から明らかなように、本発明によれば、多数枚めくりを完全に防止できるために、動作信頼性を向上させることができる。
【図面の簡単な説明】
【図１】本発明を示す図で、冊子状媒体を上面から見た平面図である。
【図２】図１の側面図で、（ａ）は図１の２Ａ方向矢視図、（ｂ）はガイドプレートの図１の２Ｂ方向矢視図である。
【図３】めくり動作を示す図で、図１の３Ａ方向矢視図である。
【図４】従来例を示す図で、（ａ）は側面図、（ｂ）は（ａ）の４Ｂ方向矢視図である。
【符号の説明】
１        冊子状媒体
１ａ      めくり対象頁
１ｂ      綴り部
２        頁めくりローラ
３        搬送ローラ対
４        送り方向線
５        幅方向中心線
【図１】
0003810595.tif 000002
【図２】
0003810595.tif 000003
【図３】
0003810595.tif 000004
【図４】
0003810595.tif 000005